(57)【要約】【課題】  置物台を収納した時、隙間を小さくして折り畳み体積を小さくし、且つギアは脱輪を起こさず確実に回転する手押し車の開閉構造を提供する。【解決手段】  主支持桿１の支持桿１１上に車輪台２が嵌合され、固定台３が固定される。また置物台４は、固定台３上に枢設され、ハンドルフレームは、主支持桿１の伸縮台１４内に嵌合される。車輪台２の底縁には環状の嵌合槽２３が成形され、固定台３の外縁には追動ギア３６が設置される。その追動ギア３６上には掛合塊３６３が設置され、それを車輪台２の嵌合槽２３内に掛合し、連動して回転する。また置物台４の第一枢設台４１上には主動ギア４２が設置され、その主動ギア４２は追動ギア３６に噛み合い、連動して回転する。【選択図】    図１
0003111060.tif 000002
【実用新案登録請求の範囲】
【請求項１】
底部に突出した支持桿を備え、別に伸縮台を備える主支持桿と、
主支持桿の支持桿上に嵌合され、車輪を備え、槽孔が貫設される車輪台と、
主支持桿の支持桿上に固定され、槽孔が貫設される固定台と、
固定台上に枢設され、両側には各々第一枢設台を備える置物台と、
主支持桿の伸縮連動桿内に嵌合され、その伸縮連動桿の別端には置物台が枢設されるハンドルフレームと、から構成された手押し車の開閉構造において、
車輪台の底縁に環状の嵌合槽を備え、
主支持桿の支持桿上に第一通孔を備え、
固定台上にも相対する第一通孔を備え、
支持桿と固定台の両第一通孔は第一枢設部品によって枢設され、
その第一枢設部品で固定台の外縁に追動ギアが枢設され、
追動ギア上には掛合塊が成形され、掛合塊は車輪台の嵌合槽内に掛合され、連動して回転し、
置物台の第一枢設台上に主動ギアを備え、その主動ギアが追動ギアと噛み合い、連動して回転することを特徴とする手押し車の開閉構造。
【請求項２】
前記車輪台は、底縁に滑動槽が成形され、固定台最上端には凸柱が成形され、それを滑動槽内に定位させて滑動させることを特徴とする請求項１に記載の手押し車の開閉構造。
【請求項３】
前記置物台は、第二枢設台を備え、その第二枢設台上には枢設孔が貫設され、ハンドルフレームの伸縮連動桿別端にも枢設孔が設置され、それが第三枢設部品に差し込まれ、第二枢設台に枢設されることを特徴とする請求項１に記載の手押し車の開閉構造。
【請求項４】
前記主支持桿は、支持桿上に第二通孔が貫設され、固定台にも相対する第二通孔が貫設され、また主動ギア上には軸孔が貫設され、そこに第二枢設部品が差し込まれて枢設されることを特徴とする請求項１に記載の手押し車の開閉構造。
【請求項５】
前記追動ギアは、扇形塊を連接し、追動ギアの掛合塊が扇形塊の周辺縁に設置されることを特徴とする請求項１に記載の手押し車の開閉構造。
【請求項６】
前記主動ギアは、置物台の第一枢設台上に一体成型されることを特徴とする請求項１に記載の手押し車の開閉構造。
【考案の詳細な説明】
【技術分野】
【０００１】
本考案は、手押し車の開閉構造に関するもので、置物台を収納した時、隙間を小さくして折り畳み体積を小さくし、且つギアは脱輪を起こさず確実に回転するものである。
【背景技術】
【０００２】
今日、一般の手押し車は固定式である。そのため場所をとり、収納、携帯も不便であるため、折り畳み式の手押し車が開発されている。図７に示すとおり、主支持桿Ａを備え、この主支持桿Ａ上に伸縮収納するハンドル桿Ｂを備える。また主支持桿Ａの両側底部には突出した支持桿Ａ１を備え、その支持桿Ａ１上には各々回転する車輪台Ａ２を備える。この車輪台Ａ２上に車輪Ａ３を備え、また車輪台Ａ２の底部外縁四分の一範囲圏にはギア槽Ａ４を備える（図８参照）。更に支持桿Ａ１の底部に置物台Ｃを備え、その置物台Ｃは伸縮連動桿Ｃ１を備える。この伸縮連動桿Ｃ１の別端をハンドル桿Ｂに設置し、その置物台Ｃの両側にはそれぞれ「コ」の字型の枢設部Ｃ２を備える。この枢設部Ｃ２の内側にはギアＣ３が固定され、それを車輪台Ａ２のギア槽Ａ４に噛み合わせる。置物台Ｃを収納する時、置物台Ｃの枢設部Ｃ２内のギアＣ３を９０度上向きに回転させると、噛み合った車輪台Ａ２のギア槽Ａ４は相対して四分の一回転し、車輪台Ａ２が四分の一回転するに従い、車輪Ａ３も支持桿Ａ１の側面縁に寄って収納される。このように置物台Ｃ及び車輪Ａ３が同時に収納される（図６参照）。
【０００３】
しかしながら、この種の手押し車の開閉構造は、置物台Ｃの枢設部Ｃ２によって、主支持桿Ａ１を納置しなければならないため、この間隔サイズを小さくすることが出来ず、置物台Ｃの面積が大きく、場所を占める。また車輪台Ａ２のギア槽Ａ４は外縁位置に設置されているため、ギアＣ３が容易に脱輪し、場合によってはギア凸部が損傷して回転できなくなる。
【考案の開示】
【考案が解決しようとする課題】
【０００４】
解決しようとする問題点は、置物台を収納した時、大きな隙間が形成されて、体積が小さくならない点であり、また、構造上、ギアが脱輪して回転不能となりやすい点である。
【課題を解決するための手段】
【０００５】
本考案は、主支持桿の支持桿上に車輪台が嵌合され、固定台が固定される。また置物台は、固定台上に枢設され、ハンドルフレームは、主支持桿の伸縮台内に嵌合される。車輪台の底縁には環状の嵌合槽が成形され、固定台の外縁には追動ギアが設置される。その追動ギア上には掛合塊が設置され、それを車輪台の嵌合槽内に掛合し、連動して回転する。また置物台の第一枢設台上には主動ギアが設置され、その主動ギアは追動ギアに噛み合い、連動して回転する。これらによって、置物台及び車輪は同時に収納され、容易に開閉することを最も主要な特徴とする。
【０００６】
本考案の手押し車の開閉構造は、下述の利点がある。
本考案の主動ギアは、一体成型で第一枢設台の外側に設置される。そのため、主動ギアと追動ギアが噛み合った時、第一枢設台は大きな間隔を必要としない。そのため、置物台の面積を小さくすることができ、製造コストが節約され、収納時は場所を取らない。
本考案の車輪台の底縁は、環状の嵌合槽が成形される。追動ギア側面には扇形塊が連接され、その扇形塊の周辺縁には掛合塊が設置され、それを嵌合槽内に掛合するため、確実に回転し、脱輪に依る回転不能を防止する。
【考案を実施するための最良の形態】
【０００７】
図１及び図２に示すとおり、本考案の一実施例にかかる手押し車は、主に主支持桿１、車輪台２、固定台３、置物台４及びハンドルフレーム５から構成される。そのうち、主支持桿１は、その両側底部に突出した支持桿１１を備える。この二本の支持桿１１上には、それぞれ第一通孔１２、第二通孔１３が貫設され、主支持桿１の両側最上端には伸縮台１４が設置される。
車輪台２は、主支持桿１の支持桿１１上に嵌合する。この車輪台２は、車輪２１に設置され、車輪台２上には槽孔２２が貫設される。また車輪台２の底縁には複数の嵌合槽２３が環状に設置され、同じく車輪台２の底縁には滑動槽２４が設置される。
【０００８】
固定台３は、主支持桿１の支持桿１１上に固定され、そこには槽孔３１が成形される。この固定台３上には各々第一通孔３２及び第二通孔３３が貫設され、その第一通孔３２及び第二通孔３３内に、各々第一枢設部品３４及び第二枢設部品３５が通されて設置される。そのうち、第一枢設部品３４は固定台３の外縁に追動ギア３６を枢設する。その追動ギア３６上には軸孔３６１が貫設され、追動ギア３６の側面には扇形塊３６２が成形される。この扇形塊３６２の周辺縁には複数の掛合塊３６３が設置され、別に固定台３の最上端には凸柱３７が設置される。
【０００９】
置物台４は、固定台３上に枢設される。この置物台４の両側には各々第一枢設台４１が設置される。この二つの第一枢設台４１の外側には各々一体成型の主動ギア４２が設置され、その主動ギア４２上には軸孔４２１が貫設される。また置物台４の中段箇所には第二枢設台４３が設置され、その第二枢設台４３上には枢設孔４４が貫設される。
ハンドルフレーム５は、主支持桿１の伸縮台１４内に嵌合し、上下伸縮移動する。このハンドルフレーム５上には、伸縮連動桿５１が枢設され、その伸縮連動桿５１の別端には枢設孔５２が貫設され、そこに第三枢設部品５３が枢設される。
【００１０】
組立時、図２に示すように、車輪台２及び固定台３の槽孔２２、３１に主支持桿１の支持桿１１を挿入し、固定台３の最上端の凸柱３７を車輪台２の底縁の滑動槽２４内に入れて定位滑動させる。そして追動ギア３６の軸孔３６１を固定台３の第一通孔３２の外縁に合わせ、第一枢設部品３４を差し込んで枢設する。追動ギア３６の扇形塊３６２の掛合塊３６３は、車輪台２の底縁の嵌合槽２３内に掛合される(図３及び図４参照)。置物台４の主動ギア４２の軸孔４２１を固定台３の第二通孔３３の外縁に合わせ、そこに第二枢設部品３５を差し込んで枢設する。主動ギア４２は追動ギア３６と相互に噛み合う。最後にハンドルフレーム５上の伸縮連動桿５１の枢設孔５２を置物台４の第二枢設台４３の枢設孔４４に相互に合わせ、第三枢設部品５３を差し込んで枢設する。これらによって、組立がスピーディに完成する。
【００１１】
図５に示すように、置物台４及び車輪２１を折り畳む場合、置物台４を上に折り畳むだけで、置物台４が上に回転し、同時に置物台４の両側の第一枢設台４１の主動ギア４２が同時に９０度回転する。主動ギア４２が９０度回転した時、噛み合っている追動ギア３６も一緒に９０度回転し、追動ギア３６が回転することによって、その扇形塊３６２の周辺縁の掛合塊３６３は車輪台２の嵌合槽２３内で回転し、車輪台２の支持桿１１上で四分の一回転する。このようにして、置物台４は完全に支持桿１１上に収納され、車輪台２は車輪２１を動かして支持桿１１の側面縁に沿う(図６参照)。
置物台４と車輪２１を開く場合、置物台４を反転させ、主動ギア４２で追動ギア３６を反転させる。車輪台２が車輪２１を連動して開き、スピーディに完了する。
【図面の簡単な説明】
【００１２】
【図１】本考案の一実施例に係る手押し車の開閉構造の立体分解図である。
【図２】本考案の一実施例に係る手押し車の開閉構造の立体組立図である。
【図３】本考案の一実施例に係る手押し車の開閉構造の主動、追動ギア噛み合せ指示図である。
【図４】本考案の一実施例に係る手押し車の開閉構造の主動、追動ギア噛み合せ断面図である。
【図５】本考案の一実施例に係る手押し車の開閉構造の置物台折り畳み指示図である。
【図６】本考案の一実施例に係る手押し車の開閉構造の完全折り畳み指示図である。
【図７】公知の手押し車の構造指示図である。
【図８】公知の手押し車のギア噛み合せ拡大指示図である。
【符号の説明】
【００１３】
１  主支持桿、１１  支持桿、１２  第一通孔、１３  第二通孔、１４  伸縮台、２  車輪台、２１  車輪、２２  槽孔、２３  嵌合槽、２４  滑動槽、３  固定台、３１  槽孔、３２  第一通孔、３３  第二通孔、３４  第一枢設部品、３５  第二枢設部品、  ３６  追動ギア、３６１  軸孔、３６２  扇形塊、３６３  掛合塊、３７  凸柱、４  置物台、４１  第一枢設台、４２  主動ギア、４２１  軸孔、４３  第二枢設台、４４  枢設孔、５  ハンドルフレーム、５１  伸縮連動桿、５２  枢設孔、５３  第三枢設部品
【図１】
0003111060.tif 000003
【図２】
0003111060.tif 000004
【図３】
0003111060.tif 000005
【図４】
0003111060.tif 000006
【図５】
0003111060.tif 000007
【図６】
0003111060.tif 000008
【図７】
0003111060.tif 000009
【図８】
0003111060.tif 000010